(57)【要約】【課題】  吸収パッドと併用しても繰り返し排泄の有無を識別することができる外装体を提供すること。【解決手段】  本発明の外装体は、吸収パッドと共に用いるための外装体である。吸湿・放湿によるｐＨの変化に基づいて可逆的に変色し、該変色が外部から識別可能に設けられた識別手段を備えている。前記識別手段がアルカリ成分と、酸性化合物およびｐＨの変化によって色が変化する呈色指示薬を含む親水性組成物とを具備しており、前記アルカリ成分は防漏シートに含まれており、前記親水性組成物が防漏シートと撥水性の不織布との間に配されている。【選択図】    図１
2006326221.tif 000002
【特許請求の範囲】
【請求項１】
吸収パッドと共に用いるための外装体であって、
吸湿・放湿によるｐＨの変化に基づいて可逆的に変色し、該変色が外部から識別可能に設けられた識別手段を備えている外装体。
【請求項２】
前記識別手段がアルカリ成分と、酸性化合物およびｐＨの変化によって色が変化する呈色指示薬を含む親水性組成物とを具備し、前記アルカリ成分が透湿性の防漏シートに含まれており、前記親水性組成物が前記防漏シートと撥水性又は親水性の不織布との間に配されている請求項１記載の外装体。
【請求項３】
前記親水性組成物を介して前記防漏シートと前記不織布とが重なり合った積層部を含む識別領域を有している請求項２記載の外装体。
【請求項４】
前記不織布で吸収性本体の非肌当接面側の少なくとも一部が被覆された吸収体を備えており、該吸収性本体が前記積層部に重ならないように配設されている請求項３記載の外装体。
【請求項５】
前記外装体の長手方向中央部に、前記吸収性本体が前記積層部と重なる部分と重ならない部分とを有している請求項４記載の外装体。
【請求項６】
前記識別領域に含まれ且つ前記吸収性本体と前記積層部とが重ならない部分に、弾性体が配されている請求項４又は５に記載の外装体。
【請求項７】
前記積層部の透明化度が８〜５０である請求項３〜６の何れかに記載の外装体。
【請求項８】
前記識別領域の透湿度が１．０〜３．０ｇ／（１００ｃｍ2・ｈ）である請求項３〜７の何れかに記載の外装体。
【請求項９】
前記アルカリ成分が炭酸カルシウムである請求項１〜８の何れかに記載の外装体。
【請求項１０】
前記酸性化合物が酢酸ビニルホモポリマー、ポリエチレン／ポリ酢酸ビニルコポリマー、ポリエチレン／ポリアクリル酸コポリマー、ステアリン酸、オレイン酸、ロジン酸、L−アスコルビン酸、ニコチン酸、L−グルタミン酸、乳酸若しくはコハク酸又はこれらの二種以上の組み合わせからなる請求項１〜９の何れかに記載の外装体。
【請求項１１】
展開型若しくはパンツ型の使い捨ておむつの形態を有している請求項１〜１０の何れかに記載の外装体。
【請求項１２】
前記吸収パッドが、透湿性の防漏シートを具備しており、前記識別手段が該防漏シートを介した吸湿・放湿により変色するように設けられている請求項１〜１１の何れかに記載の外装体。
【請求項１３】
請求項１〜１２の何れかに記載の外装体と、液透過性の表面シート、防漏シート及びこれら両シート間に配された液保持性の吸収体を備えている吸収パッドとを備えている吸収性物品。
【請求項１４】
前記吸収パッドの前記防漏シートの透湿度が１．０〜３．０ｇ／（１００ｃｍ2・ｈ）である請求項１０記載の吸収性物品。
【発明の詳細な説明】
【技術分野】
【０００１】
本発明は、吸収パッドと共に用いられる外装体及び該外装体と吸収パッドとからなる吸収性物品に関する。
【背景技術】
【０００２】
尿等の排泄の有無を外部から識別できるような識別手段を備えた使い捨ておむつとして、防漏シートに水溶性のインクや水に濡れると変色する剤で印刷等を施したおむつが提案されている（特許文献１〜４参照）。
【０００３】
一方、大人用の使い捨ておむつ等の一部の吸収性物品には、下記特許文献３のように、吸収パッドと、使い捨ておむつと同様の構成のカバーからなる外装体とを共に用い、吸収パッドのみを必要に応じて交換するタイプのものが提案されており、このような吸収性物品においても、排泄の有無を識別できる機能が望まれる。
【０００４】
従来のような識別手段を付与した吸収性物品を吸収パッドと併用した場合、排泄物が吸収パッドから漏れて吸収性物品の識別手段に移行した場合には、識別手段は変色もしくは消失して、排泄の有無を識別することができる。
しかし、従来のような識別手段を付与した吸収性物品は、一度識別手段が変色もしくは消失してしまうと、排泄物を吸収した吸収パッドを取り外しても識別手段は変色若しくは消失したままであり、２枚目以降の吸収パッドを使用する時は、吸収物品の識別手段の識別能力が失われているため、排泄の有無を確認できなくなる課題を有していた。
【０００５】
【特許文献１】特開平１１−４８５２号公報
【特許文献２】特開昭５８−１７４６０１号公報
【特許文献３】特開２００２−２００１０５号公報
【特許文献４】特開２００５−２１３９０号公報
【発明の開示】
【発明が解決しようとする課題】
【０００６】
本発明は、前記課題に鑑みてなされたものであり、吸収パッドを併用しても繰り返し排泄の有無を識別することができる外装体及び該外装体と吸収パッドからなる吸収性物品を提供することを目的とする。
【課題を解決するための手段】
【０００７】
本発明は、吸収パッドと共に用いるための外装体であって、吸湿・放湿によるｐＨの変化に基づいて可逆的に変色し、該変色が外部から識別可能に設けられた識別手段を備えている外装体を提供することにより、前記目的を達成したものである。
【０００８】
また、本発明は、前記本発明の外装体と、液透過性の表面シート、防漏シート及びこれら両シート間に配された液保持性の吸収体を備えている吸収パッドとを備えている吸収性物品を提供するものである。
【発明の効果】
【０００９】
本発明によれば、吸収パッドと併用しても繰り返し排泄の有無を識別することができる。
【発明を実施するための最良の形態】
【００１０】
以下、本発明をその好ましい実施形態に基づいて説明する。
【００１１】
図１〜図３は、本発明の吸収性物品の第１実施形態を模式的に示したものである。
【００１２】
図１に示すように、本実施形態の吸収性物品１は、パンツ型の使い捨ておむつの形態を有する外装体２と、外装体２内に配される吸収パッド３とからなり、外装体２の内側に吸収パッド３が配された状態で外装体２とともに着用される。
【００１３】
図２及び図３に示すように、外装体２は、後述するように、吸湿・放湿によるｐＨの変化に基づいて可逆的に変色し、該変色が外部から識別可能に設けられた識別手段２０を備えている。識別手段２０は、アルカリ成分と、酸性化合物およびｐＨの変化によって色が変化する呈色指示薬（以下、単に呈色指示薬という。）を含む親水性組成物とを具備しており、前記アルカリ成分は防漏シート２２に含まれており、前記親水性組成物は防漏シート２２と撥水性の不織布２３ｂとの間に配されている。
【００１４】
本実施形態における外装体２は、図２の展開斜視図に示すように、着用時に着用者の背側に配される背側部２Ａ、腹側に配される腹側部２Ｂ、及び両者間に位置し着用者の股下に配される股下部２Ｃを有し、長手方向の中央部が括れた縦長の形状を有している。
【００１５】
図３に示すように、外装体２は、外装体表面シート（以下、表面シートともいう。）２１、外装体防漏シート（以下、防漏シートともいう。）２２、これらのシート２１、２２間に配され、吸収性本体２３ｃが撥水性又は親水性の不織布２３ａ、２３ｂで被覆された外装体吸収体（以下、吸収体ともいう。）２３、防漏シート２２の外側（図では下側）に配されたレッグカバー不織布シート２４、及びレッグカバー不織布シート２４の外側に配された外層不織布シート２５（以下、外層シートともいう。）を具備している。
【００１６】
表面シート２１には、親水性の不織布や開孔フィルム等の従来から使い捨ておむつに用いられている材質のものを用いることができる。
【００１７】
防漏シート２２は、アルカリ成分を含む透湿性の樹脂シートから形成されている。防漏シート２２は、当該アルカリ成分を含む、疎水性の熱可塑性樹脂を溶融混練してシートを形成し、該シートを一軸又は二軸延伸して得られる多孔性シートが好ましく用いられる。前記アルカリ成分としては、炭酸カルシウム、炭酸マグネシウム、炭酸バリウム、炭酸ナトリウム等を用いることができ、有機のものとして例えばオレイン酸ナトリウム、酢酸ナトリウム、酢酸バリウム、ステアリン酸マグネシウム等が挙げられる。上記アルカリ成分の平均粒径は該シート材料に多数の微細孔を形成して十分な透湿性を付与する観点から３０μｍ以下であることが好ましく、１０μｍ以下であることがさらに好ましく、０．５μｍ〜５μｍであることが最も好ましい。また上記熱可塑性樹脂１００重量部に対して上記アルカリ成分を５０〜４００重量部、特に５０〜２５０重量部含むことが透湿量を確保する点及び接触した水をアルカリ性に変化させ得る点から好ましい。
【００１８】
防漏シート２２の透湿度は吸湿、放湿によるｐＨの変化を迅速に行うことができるという観点から、１．０〜３．０ｇ／（１００ｃｍ2・ｈ）であることが好ましく、２．０〜３．０ｇ／（１００ｃｍ2・ｈ）であることがより好ましい。ここで、防漏シート２２の透湿度は、ＪＩＳ  Ｚ０２０８(カップ法)に準拠し、３０℃／９０％ＲＨにて一時間試料を保存した場合の吸湿量により測定される。
【００１９】
吸収体２３は、矩形の外形形状を有し、不織布２３ａ、２３ｂによって吸収性本体（吸収性コア）２３ｃが覆われている。本実施形態では、不織布２３ａは親水性不織布であり、不織布２３ｂは撥水性の不織布であり、不織布２３ｂによって吸収性本体２３ｃの非肌当接面側の少なくとも一部が覆われている。吸収性本体２３ｃの中央部には、矩形形状に切り欠かれて当該吸収性本体２３ｃが存在しない窓部２３ｄが設けられている。吸収体２３は、この窓部２３ｄでは、表面シート２１と不織布２３ａ、２３ｂが接合された凹部２３eが設けられている。
【００２０】
撥水性の不織布としては、ポリエチレン繊維、ポリプロピレン繊維、ポリエステル繊維、ポリエステル／ポリプロピレン（芯／鞘）複合繊維若しくはポリエチレン／ポリエステル（芯／鞘）複合繊維からなる湿式、乾式によって得られる不織布等が挙げられ、親水性の不織布としては、前記不織布を親水化処理によって得られる不織布が挙げられる。放湿効率の点を考慮すると、撥水性の不織布が好ましい。不織布２３ａは、吸湿、放湿によるｐＨの変化を迅速に行うことができるという点を考慮すると、坪量は１０〜４０ｇ／ｍ2が好ましく、１５〜２５ｇ／ｍ2がより好ましい。
【００２１】
吸収性本体２３ｃには、従来から吸収性本体に用いられている吸収性ポリマー、パルプ、又はこれらの混合物が用いられる。
【００２２】
外装体２は、親水性組成物２０ａを介して防漏シート２２と不織布２３ｂとが重なり合った積層部２０ａ’を含む識別領域２０Ａを有している。識別領域２０Ａは、この積層部２０ａ’の位置により、前記背側部２Ａ、腹側部２Ｂ及び股下部２Ｃ、あるいはこれらの複数に跨る場合がある。本実施形態においては、防漏シート２２と不織布２３ｂとの間における吸収体２３の凹部２３ｅの下方に位置する部分、即ち吸収性本体２３ｃの窓部２３ｄを望む部分に、前記親水性組成物２０ａが縦に５列配されており、この部分で積層部２０ａ’がそれぞれ形成されており、これらの積層部２０ａ’を含む吸収体２３の外縁より内側に位置する概ね矩形の領域（図２の二点鎖線で囲まれた領域）が識別領域２０Ａである。
【００２３】
識別領域２０Ａを含む凹部２３ｅの面積は、本発明の効果が十分に奏される上では吸収体２３の面積（平面視したときの面積）に対して２〜２０％とすることが好ましく、３〜１５％とすることがより好ましい。凹部２３ｅの面積は、３０〜２００ｃｍ2であることが好ましく、７０〜１８０ｃｍ2であることがより好ましい。
【００２４】
識別領域２０Ａにおける積層部２０ａ’は、後述するように親水性ポリマーを含ませて少なくとも一部の親水性組成物２０ａを介して防漏シート２２と不織布２３ｂとが接合されて固定されていることが好ましい。
【００２５】
前記親水性組成物に含まれる酸性化合物としては、酢酸ビニルホモポリマー、ポリエチレン／ポリ酢酸ビニルコポリマー、ポリエチレン／ポリアクリル酸コポリマー、ステアリン酸、オレイン酸、ロジン酸、L−アスコルビン酸、ニコチン酸、L−グルタミン酸、乳酸若しくはコハク酸又はこれらの二種以上の組み合わせが挙げられる。
【００２６】
これらの酸性化合物は、前記親水性組成物中の酸性化合物及び呈色指示薬の全量に対して好ましくは５０〜９９．９９重量％、更に好ましくは６０〜９９．９９重量％、一層好ましくは６０〜９９重量％含有される。酸性化合物の量が５０重量％に満たないとｐＨを４以下に保つことが難しく、水と接触しただけで変色することがある。
【００２７】
前記親水性組成物に含まれる呈色指示薬としては、ｐＨが３〜７で色が変化するものが用いられ、その例としてはブロモフェノールブルー、メチルオレンジ、アリザリンＳ、ブロモクレゾールグリーン、メチルレッド、ブロモクレゾールパープル等が挙げられるが、これらに限定されるものではない。これらの呈色指示薬のうち特に好ましいものとしては、ブロモフェノールブルー、ブロモクレゾールグリーン及びブロモクレゾールパープル等が挙げられる。これらの呈色指示薬は、親水性組成物中の酸性化合物及び呈色指示薬の全量に対して好ましくは０．０１〜５０重量％、更に好ましくは０．０１〜４０重量％、一層好ましくは０．０１〜１重量％、最も好ましくは０．０１〜０．５重量％含有される。呈色指示薬の量が斯かる範囲であると、親水性組成物の変色前の色が濃すぎることがなく、外部から視認し得るに十分に変色する。また、コスト的にも好ましい。
【００２８】
前記親水性組成物は、前記酸性化合物および前記呈色指示薬のみからなっていても本発明の効果が十分に奏されるが、これらの成分に加えて粘着性を有する親水性ポリマーを含有すると、該親水性組成物にホットメルト接着性が付与され、防漏シート２２と不織布２３ｂとの固定が一層強固なものになると共に、ホットメルト塗工装置があれば、ライン上で塗工可能であり、加工適性が良くなる。即ち、前記酸性化合物、前記呈色指示薬および前記親水性ポリマーを含有してなる親水性組成物は、ホットメルト接着剤として機能する。前記親水性ポリマーとしては、粘着性を有し且つ親水性であれば特に制限はなく、例えばビニルピロリドンホモポリマー、ポリアミド、ポリビニルアルコール又はこれらの二種以上の組み合わせ等が挙げられる。これらの親水性ポリマーのうち特に好ましいものとしては、ビニルピロリドンホモポリマー、ポリビニルアルコール又はこれらの組み合わせが挙げられる。これらの親水性ポリマーは、前記親水性組成物に適度なホットメルト接着性が付与される点から、その数平均分子量が５００〜３０，０００であることが好ましく、１，０００〜１０，０００であることが更に好ましい。これらの親水性ポリマーは、前記親水性組成物の全量に対して２０〜５０重量％含有されることが好ましく、３０〜４０重量％含有されることが更に好ましい。親水性ポリマーの量が斯かる範囲であると、水が親水性組成物内にとり込まれやすく変色が起こりやすい。また、前記酸性化合物の配合量が相対的に減少することを抑えてｐＨを４超に保つことが容易となり、水と接触しただけで変色することがあるので、上記範囲内とすることが好ましい。即ち、前記親水性組成物が前記酸性化合物、前記呈色指示薬および前記親水性ポリマーを含有する場合の好ましい配合は、酸性化合物２５〜７９．９９重量％、呈色指示薬０．０１〜２５重量％、親水性ポリマー２０〜５０重量％であり、更に好ましい配合は、酸性化合物３０〜６９．９９重量％、呈色指示薬０．０１〜３０重量％、親水性ポリマー３０〜４０重量％である。
【００２９】
また、前記親水性組成物は、上述した成分に加えて酸化防止剤、紫外線吸収剤等を含有していてもよい。これらの成分は、前記親水性組成物の全量に対して０．５〜５重量％含有されることが好ましく、０．５〜３重量％含有されることが更に好ましい。
【００３０】
前記水性組成物は、上述のように親水性ポリマーを含ませた場合には、各成分を例えば１５０℃程度で６０分間程度、攪拌混合することによって調製することができる。このようにして調整された親水性組成物は、例えば、９０℃〜１１０℃で溶かして塗工して防漏シート２２に固定することができる。親水性組成物の坪量は、１０ｇ／ｍ2〜３０ｇ／ｍ2とすることが好ましい。
【００３１】
前記識別領域２０Ａの透明化度は、識別手段２０の変色効果を高める上で８〜５であることが好ましく、１０〜４０であることがより好ましい。ここで、前記防漏シートと前記親水性組成物の接触部分の透明化度は、日本電色工業株式会社製の色差計（ＳＺ-Σ８０）を用いて前記防漏シートと前記親水性組成物の接触部分の白色度Ｌab値を求め前記防漏シートの前記親水性組成物と接触していない部分の白色度Ｌab値との差から透明化度を求めることにより測定される（測定はサンプルを測定器に付属の黒色板に置いて前記防漏シートの前記親水性組成物の配設面と反対側から照射して行う。）。
【００３２】
前記識別領域２０Ａの透湿度は、識別手段２０の変色が素早く起こるようにする点から、１．０〜３．０ｇ／（１００ｃｍ2・ｈ）であることが好ましく、２．０〜３．０ｇ／（１００ｃｍ2・ｈ）であることがより好ましい。ここで、識別領域の透湿度は、ＪＩＳ  Ｚ０２０８(カップ法)に準拠し、３０℃／９０％ＲＨにて一時間試料を保存した場合の吸湿量により測定される。
【００３３】
背側部２Ａ及び腹側部２Ｂに位置するレッグカバー不織布２４と外層不織布２５との間には、ウェストギャザー形成用の弾性部材２６及び胴回りギャザー形成用の弾性部材２７が配設されており、これらの弾性部材の収縮によって、胴回りギャザー及びウェストギャザーが形成される。また、股下部２Ｃの両側縁部に位置するレッグカバー不織布シート２４と外層不織布シート２５との間には、括れに沿うようにレッグギャザー形成用の弾性部材２８が配設されており、この弾性部材２８が収縮し、着用時に脚廻りに配される部位にレッグギャザーが形成される。これらのレッグカバー不織布シート２４、外層不織布シート２５、弾性部材２６、２７、２８には、前記識別手段による効果を損なわない範囲において、従来から使い捨ておむつに用いられている公知のものが採用される。
【００３４】
図２に示すように、吸収パッド３は、縦長の矩形形状に設けられており、液透過性の表面シート３１、液透不透過性で透湿性の防漏シート３２及びこれら両シート間に配された液保持性の吸収体３３を備えている。
【００３５】
表面シート３１には、親水性の不織布や開孔フィルムなどの従来から吸収パッドに用いられている公知のものが採用される。
【００３６】
防漏シート３２に用いられる素材としては、疎水性の熱可塑性樹脂と、相溶性のない有機高分子又は炭酸カルシウム等からなる微小な無機フィラー等とを溶融混練してフィルムを形成し、該フィルムを一軸又は二軸延伸して得られる多孔性シートが挙げられる。また、ポリエステルエラストマーのように、水分を吸放出する未延伸シートを用いることもできる。防漏シート３２は、識別手段の識別性に影響を与えない範囲で、上述した素材のシートの外側に不織布を貼り合わせた積層シートで構成することもできる。不織布の接合方法は、特に制限はないが、熱や接着剤によるラミネートが好ましい。
【００３７】
防漏シート３２の透湿度は、識別手段２０の変色が素早く起こるようにする点から、１．０〜３．０ｇ／（１００ｃｍ2・ｈ）であることが好ましく、２．０〜３．０ｇ／（１００ｃｍ2・ｈ）であることがより好ましい。ここで、防漏シート３２の透湿度は、ＪＩＳ  Ｚ０２０８(カップ法)に準拠し、３０℃、９０％ＲＨにて一時間試料を保存した場合の吸湿量により測定される。
【００３８】
吸収体３３には、従来から吸収パッドに用いられている公知のものが採用される。吸収体３３は、親水性のティッシュペーパー等の薄手の紙（薄葉紙）、不織布（スパンボンド（Ｓ）・メルトブローン（Ｍ）・Ｓ、Ｓ・Ｍ・Ｍ・Ｓ、Ｓ・Ｓ・Ｍ・Ｓ等の複合不織布）からなる被覆材によって吸収性本体（吸収性コア）が覆われているものが好ましい。
【００３９】
本実施形態の吸収性物品１は、防漏シート３２を介した吸湿・放湿により識別領域２０Ａが可逆的に変色し、該変色が外部から識別可能に設けられた識別手段２０を備えているため、吸収パッド３と併用しても繰り返し排泄の有無を容易に識別することができる。
【００４０】
図４及び図５は、本発明の吸収性物品の第２実施形態を示すものである。本実施形態の吸収性物品において、第１実施形態の吸収性物品と共通する部分については同一符号を付している。本実施形態の吸収性物品において特に説明のない部分については、前記第１実施形態における説明が適宜適用される。
【００４１】
図４及び図５に示すように、本実施形態の吸収性物品１’は、外装体２’と、吸収パッド３とを備えており、外装体２’がいわゆる展開型の使い捨ておむつの形態を有している。吸収性物品１’は、外装体２’の内側に吸収パッド３が配された状態で外装体２’とともに着用される。
【００４２】
外装体２’は、第１実施形態の外装体２におけると同様に、吸湿・放湿によるｐＨの変化に基づいて可逆的に変色し、該変色が外部から識別可能に設けられた識別手段２０を備えている。識別手段２０は、アルカリ成分と、酸性化合物および呈色指示薬を含む親水性組成物２０ａとを具備しており、前記アルカリ成分は防漏シート２２に含まれており、前記親水性組成物は防漏シート２２と不織布２３ｂとの間に配されている。
【００４３】
外装体２’は、表面シート２１ａ、防漏シート２２、これらの間に配された吸収体２３、及びシート２１ａの両側縁部から防漏シート２２の外縁部を覆う側面シート２１ｂを具備している。
【００４４】
吸収体２３は、矩形の外形形状を有し、吸収性本体（吸収性コア）２３ｃとその一部を少なくとも被覆する不織布２３ａ、２３ｂとから構成されている。吸収性本体２３ｃは、識別手段２０に望むように矩形形状に切り欠かれた窓部２３ｄを有している。
【００４５】
本実施形態においては、外装体２’の長さ方向中央部における、防漏シート２２と不織布２３ｂとの間の、吸収性本体２３ｃの窓部２３ｄを望む部分と、吸収性本体２３の下方の部分に、前記親水性組成物２０ａが縦に３列配されている。即ち、外装体２’においては、この親水性組成物２０ａを介して防漏シート２２と不織布２３ｂとが接合された積層部２０ａ’を含む識別領域２０Ａを有している。外装体２’が、このように長さ方向中央部に吸収性本体２３ｃが積層部２０ａ’と重なる部分と重ならない部分とを有しており、重なる部分では主に吸収パッド３を通して放出される水蒸気ではなく尿で濡れて重なっている部分で変色し、重ならない部分では主に吸収パッド３を通して放出される水蒸気によって変色する部分の両方の機能を備えたものとなるので、外装体２’と吸収パッド３の両方の交換を識別させる機能を付与することができる。
【００４６】
本実施形態においては、外装体２’の長さ方向中央部における、前記識別領域２０Ａに含まれ且つ前記吸収性本体２３ｃと前記積層部２０ａ’とが重ならない部分（親水性組成物２０ａの間）に位置するように、４本の弾性体２８ｃが伸長状態で外装体２’の長手方向に沿っての防漏シート２２に固定されている。外装体２’は、このような弾性体２８ｃを有しているので、これらの弾性部材２８ｃが収縮して形成されるギャザーによって、識別領域２０Ａと吸収パッド３（の防漏シート３２）との密着性が高められ、当該吸収パッド３の防漏シート３２を介した吸湿・放湿による識別手段２０の可逆的変化が起こりやすくできるとともに、外装体２’と吸収パッド３の股間部におけるずれを確実に防止することができる。
【００４７】
本実施形態においては、外装体２’は、吸収体２３の下方であって、防漏シート２２における吸収性本体２３ｃの下方に位置する部分に、弾性体２８ｂが伸長状態で固定されている。外装体２’は、このような弾性体２８ｂを有しているので、これらの弾性部材２８ｂの収縮によってギャザーが形成され、脚周りに吸収体が密着し、脚周りからのモレを防止することができる。
【００４８】
外装体２’の背側部２Ａの左右両側縁部には、それぞれファスニングテープ２９が配設されている。腹側部２Ｂの外面には、ファスニングテープ２９が止着されるランディングゾーン（図示せず）が幅方向に亘って形成されている。防漏シート２２における股下部２Ｃの左右両側縁部に位置する部分には、弾性部材２８ａが伸長状態で固定されており、これらの弾性部材２８aが収縮し、外装体２’の着用時に脚廻りに配される部位にレッグギャザーが形成される。
【００４９】
外装体２’の表面シート２１ａには、第１実施形態における表面シートと同様の材質のシートを、また、側面シート２１ｂには、撥水性の不織布等の、従来からこの種の展開型の使い捨ておむつに用いられている材質のシートをそれぞれ用いることができる。
【００５０】
外装体２’の防漏シート２２の材質には、第１実施形態の防漏シートと同じ材質のシートを用いることができる。
【００５１】
本実施形態の吸収性物品１’は、第１実施形態の吸収性物品と同様に、防漏シート３２を介した吸湿・放湿により識別領域が可逆的に変色し、該変色が外部から識別可能に設けられた識別手段２０を備えているため、吸収パッド３と併用しても繰り返し排泄の有無を容易に識別することができる。
【００５２】
本発明は、前記実施形態に制限されない。
【００５３】
前記各実施形態では、撥水性又は親水性の不織布で吸収性本体を被覆したが、該不織布と、その下方に防漏シートとを配し、さらにこれらの間に前記親水性組成物を配した構成を備えていれば、他の層構成であってもよい。
【００５４】
前記第１実施形態では、積層部２０ａ’を吸収性本体２３ｃと重ならないように配したが、例えば、図６に示す実施形態の吸収性物品１’におけるように、一部の積層部２０ａ’が吸収性本体と重なるように配しても良い。このように積層部２０ａ’が吸収性本体２３と重ならない部分と重なる部分とを有していることにより、上記第２実施形態におけると同様に、吸収性本体２３ｃが積層部２０ａ’と重ならない部分においては主に水蒸気で変色し、吸収性本体２３ｃが積層部２０ａ’と重なる部分においては水蒸気ではなくて尿によって濡れて変色させることができるため、外装体２’と吸収パッド３の両方の交換を識別させる機能を付与することができる。
【００５５】
また、前記第２実施形態では、弾性体２８ａを配してギャザーを形成するようにしたが、弾性体２８ａは省略することもできる。
【００５６】
前記実施形態では、パンツ型の使い捨ておむつ及び展開型の使い捨ておむつの形態の外装体に基づいて説明したが、外装体は、吸収性本体を具備しないおむつカバーであってもよい。
【実施例】
【００５７】
以下、実施例により、本発明をさらに具体的に説明する。
下記実施例１、２及び比較例のようにして吸収性物品を作製し、繰り返し排泄の有無を識別できるかどうかを下記のようにして評価した。その結果を表１に示す。
【００５８】
〔実施例１〕
＜外装体の構成＞
形態：パンツ型おむつ
表面シート：自社製、サクション不織布、坪量２５g／ｍ2
吸収体：撥水性不織布（三井化学製、スパンボンド不織布、坪量１５ｇ／ｍ2）、吸収性本体（吸水ポリマー８ｇ／フラッフパルプ２２ｇ）
防漏シート：自社製、透湿性フィルムシート、坪量２０ｇ／ｍ2、透湿度１．７ｇ／１００ｃｍ2・ｈ（カップ法）
酸性化合物：重合ロジン
レッグカバー不織布：ユニチカ製、スパンボンド不織布、坪量１８ｇ／ｍ2
外層不織布：レンゴー製、エアースルー不織布、坪量２０ｇ／ｍ2
【００５９】
＜吸収パッドの構成＞
市販の吸収パッド、花王（株）製、商品名「リリーフスーパー安心」
防漏シートの透湿度：２．３８（ｇ／１００ｃｍ2・ｈ)
【００６０】
〔実施例２〕
撥水性不織布に代えて下記親水性不織布を用いた以外は、実施例１と同様にして吸収性物品を作製した。
親水性不織布：自社製、サクション不織布、坪量２０ｇ／ｍ2
【００６１】
〔実施例３〕
下記吸収パッドを用いた以外は、実施例１と同様にして吸収性物品を作製した。
吸収パッド：白十字製、商品名「サルバパンツ用しっかり吸収パッド昼用」
【００６２】
〔比較例１〕
実施例１の撥水性不織布に代えて実施例１と同様の防漏シートを用いた以外は、実施例１と同様にして吸収性物品を作製した。
【００６３】
〔比較例２〕
撥水性不織布に代えて下記台紙を用いた以外は、実施例１と同様にして吸収性物品を作製した。
台紙：伊野紙株式会社製、坪量１６ｇ／ｍ2
【００６４】
〔比較例３〕
比較例２における防漏シートに代えて、実施例２の親水性不織布を用いた以外は、実施例１と同様にして吸収性物品を作製した。
【００６５】
〔比較例４〕
実施例１の防漏シートに代えて実施例１と同様の撥水性不織布を用いた以外は、実施例１と同様にして吸収性物品を作製した。
【００６６】
〔繰り返し識別性の評価〕
吸収性物品の内側に吸収パッドを配して簡易モデルに装着し、吸収パッドに３２℃のぬるま湯を２００cc吸収させ、吸収パッドの透湿性防漏シートから放出される水蒸気を識別領域に吸湿させ、吸収性物品の外部から変色を確認後、吸収パッドを新しいものに交換し、水蒸気を識別領域から放湿させ、元の色に変色させた。
【００６７】
【表１】
2006326221.tif 000003
【００６８】
表１に示したように、実施例１〜３では、吸湿、放湿に伴い、可逆的に変色が起こり、繰り返し排泄の有無を確認できた。これに対し、比較例１〜４では、吸湿・放湿を繰り返しても、可逆的な変色は起こらなかった。
【図面の簡単な説明】
【００６９】
【図１】本発明の吸収性物品の第１実施形態を模式的に示す斜視図である。
【図２】第１実施形態の吸収性物品を展開し一部を破断視した状態を模式的に示した斜視図である。
【図３】第１実施形態の吸収性物品の要部の断面を模式的に示す図である。
【図４】本発明の吸収性物品の第２実施形態を、一部を破断視した状態を模式的に示した斜視図である。
【図５】第２実施形態の吸収性物品の要部の断面を模式的に示す図（図３相当図）である。
【図６】本発明の他の実施形態の吸収性物品の要部の断面を模式的に示す図（図３相当図）である。
【符号の説明】
【００７０】
１  吸収性物品
２  外装体
２０  識別手段
２０ａ  親水性組成物
２０ａ’  積層部
２０Ａ  識別領域
２１  外装体表面シート
２２  外装体防漏シート
２３  外装体吸収体
２３ａ、２３ｂ  不織布
２３ｃ  吸収性本体
３  吸収パッド
３１  表面シート
３２  防漏シート
３３  吸収体
【図１】
2006326221.tif 000004
【図２】
2006326221.tif 000005
【図３】
2006326221.tif 000006
【図４】
2006326221.tif 000007
【図５】
2006326221.tif 000008
【図６】
2006326221.tif 000009